(57)【要約】【課題】使用中に作業者の手から離れても作業者が傷付くのを効果的に抑制することができる鎌を提供する。【解決手段】本発明の鎌１は、手で把持する柄部２と、柄部２に固定された刃部３とを備えている。刃部３には、その刃先３ａを覆う伸長位置と刃先３ａを露出させる収縮位置との間で伸縮可能なカバー４が取り付けられおり、カバー４にはカバー４を伸長方向に付勢する付勢手段５が設けられている。柄部２には、柄部２の把持圧を検出する圧力検出手段６と、付勢手段５の付勢力に抗してカバー４を収縮位置でロックする一方、圧力検出手段６により検出された把持圧が所定値以下になるとロックを解除するロック機構７とが設けられている。【選択図】図１
2013123396.tif 000002
【特許請求の範囲】
【請求項１】
手で把持する柄部と、前記柄部に固定された刃部とを備えた鎌であって、
前記刃部の刃先を覆う伸長位置と当該刃先を露出させる収縮位置との間で伸縮可能なカバーと、
前記カバーを伸長方向に付勢する付勢手段と、
前記柄部の把持圧を検出する圧力検出手段と、
前記付勢手段の付勢力に抗して前記カバーを前記収縮位置でロックする一方、前記圧力検出手段により検出された把持圧が所定値以下になると前記ロックを解除するロック機構と、を備えていることを特徴とする鎌。
【請求項２】
前記ロック機構は、
前記カバーに当接して当該カバーが前記収縮位置から伸長するのを規制する突出位置と、前記カバーが前記収縮位置から伸長するのを許容する退避位置との間で進退可能なロックピンと、
前記ロックピンを退避方向に付勢する弾性部材と、
前記ロックピンに連結され、当該ロックピンと連動可能な磁性部材と、
前記磁性部材を磁力により吸着させて、前記ロックピンを前記弾性部材の付勢力に抗して前記突出位置に保持する電磁石と、
前記圧力検出手段により検出された把持圧が所定値以下になると、前記電磁石への通電を遮断する制御部とによって構成されている請求項１に記載の鎌。
【請求項３】
前記ロック機構のロックピンの一部、弾性部材、磁性部材、電磁石及び制御部が、前記柄部に内蔵されている請求項２に記載の鎌。
【請求項４】
前記柄部は、柄本体部と、前記柄本体部の外周との間に密閉空間を形成した状態で当該柄本体部に取り付けられた把持部とを有し、
前記圧力検出手段は、前記密閉空間内の空気圧を前記把持圧として検出する圧力センサからなる請求項１〜３のいずれか一項に記載の鎌。
【発明の詳細な説明】
【技術分野】
【０００１】
本発明は、草刈り等に用いられる鎌に関する。
【背景技術】
【０００２】
従来より、草刈り等に用いられる鎌には、安全対策として不使用時に刃部を覆うカバーが取り付けられるようになっている（例えば、特許文献１参照）。特許文献１に記載されたカバーは、鎌とは別体として刃部に着脱可能に取り付けられており、草刈り等を行う際には、刃部からカバーを取り外して鎌のみの状態で使用される。
【先行技術文献】
【特許文献】
【０００３】
【特許文献１】実開平５−９５２４０号公報
【発明の概要】
【発明が解決しようとする課題】
【０００４】
特許文献１に記載されたカバーは、鎌を使用しないときには刃部に取り付けられることによって、作業者の手などの身体が刃部に接触するのを防止できるが、鎌を使用する際には鎌から取り外されるため、鎌の使用中には刃部が常に露出した状態となる。このため、例えば鎌の使用中に作業者が誤って転倒して鎌の柄から手を離したときに、作業者の身体に鎌の刃部が当たって作業者が傷付くおそれがあった。
本発明は、このような事情に鑑みてなされたものであり、使用中に作業者の手から離れても作業者が傷付くのを効果的に抑制することができる鎌を提供することを目的とする。
【課題を解決するための手段】
【０００５】
前記目的を達成するための本発明の鎌は、手で把持する柄部と、前記柄部に固定された刃部とを備えた鎌であって、前記刃部の刃先を覆う伸長位置と当該刃先を露出させる収縮位置との間で伸縮可能なカバーと、前記カバーを伸長方向に付勢する付勢手段と、前記柄部の把持圧を検出する圧力検出手段と、前記付勢手段の付勢力に抗して前記カバーを前記収縮位置でロックする一方、前記圧力検出手段により検出された把持圧が所定値以下になると前記ロックを解除するロック機構と、を備えていることを特徴としている。
【０００６】
本発明によれば、鎌を使用するときには、ロック機構によりカバーを収縮位置でロックすることで、刃部の刃先を露出した状態に保持することができる。また、鎌の使用中に作業者が誤って柄部から手を離したときは、圧力検出手段により柄部の把持圧が所定値以下であることを検出することで、ロック機構によるロックを解除することができる。これにより、カバーを付勢手段の付勢力により刃部の刃先を覆う伸長位置まで自動的に伸長させることができるため、刃部の刃先が作業者の身体に当たって作業者が傷付くのを効果的に抑制することができる。
【０００７】
前記ロック機構は、前記カバーに当接して当該カバーが前記収縮位置から伸長するのを規制する突出位置と、前記カバーが前記収縮位置から伸長するのを許容する退避位置との間で進退可能なロックピンと、前記ロックピンを退避方向に付勢する弾性部材と、前記ロックピンに連結され、当該ロックピンと連動可能な磁性部材と、前記磁性部材を磁力により吸着させて、前記ロックピンを前記弾性部材の付勢力に抗して前記突出位置に保持する電磁石と、前記圧力検出手段により検出された把持圧が所定値以下になると、前記電磁石への通電を遮断する制御部とによって構成されていることが好ましい。
この場合、電磁石の磁力により磁性部材を電磁石に吸着させてロックピンを突出位置に保持することにより、カバーが収縮位置から伸長するのを規制することができる。また、電磁石への通電を遮断して磁性部材の吸着を解除するとともにロックピンを退避位置に退避させることで、カバーの伸長を許容することができる。したがって、簡単な構成により、カバーの収縮位置でのロック及びロック解除を行うことができる。
【０００８】
前記ロック機構のロックピンの一部、弾性部材、磁性部材、電磁石及び制御部は、前記柄部に内蔵されていることが好ましい。この場合、ロック機構を構成する構成部材のほとんどを柄部に内蔵することができるため、ロック機構を備えることによって鎌が大型化するのを抑制することができる。
【０００９】
前記柄部は、柄本体部と、前記柄本体部の外周との間に密閉空間を形成した状態で当該柄本体部に取り付けられた把持部とを有し、前記圧力検出手段は、前記密閉空間内の空気圧を前記把持圧として検出する圧力センサからなることが好ましい。この場合、簡単な構成によって、柄部の把持圧を検出することができる。
【発明の効果】
【００１０】
本発明の鎌によれば、使用中に作業者の手から離れても作業者が傷付くのを効果的に抑制することができる。
【図面の簡単な説明】
【００１１】
【図１】本発明の一実施形態に係る鎌の使用状態を示す側断面図である。
【図２】上記鎌の不使用時の状態を示す側断面図である。
【図３】図２のＡ−Ａ矢視図である。
【図４】本発明の他の実施形態に係る鎌の使用状態を示す側断面図である。
【図５】図４の鎌の不使用時の状態を示す側断面図である。
【発明を実施するための形態】
【００１２】
以下、図面を参照しつつ、本発明の実施形態を説明する。
図１は、本発明の一実施形態に係る鎌の使用状態を示す側断面図である。図１に示すように、鎌１は、手で把持する柄部２と、この柄部２に固定された略三日月状の刃部３とを備えている。柄部２は、中空状に形成された柄本体部２１と、柄本体部２１の外側に取り付けられた把持部２２とを有している。柄本体部２１は、上面２１ａ、外周面２１ｂ及び底面２１ｃとによって中空筒状に形成されており、上面２１ａの一端部には貫通孔２１ａ１が形成されている。
【００１３】
把持部２２は、柄本体部２１の底面２１ｃから外周面２１ｂの長手方向中央部にかけて柄本体部２１を覆うように有底筒状に形成されており、把持部２２の上端部２２ａは柄本体部２１の外周面２１ｂに固定されている。これにより、把持部２２と柄本体部２１との間には密閉空間Ｓが形成されている。
刃部３は、柄本体部２１の長手方向に対して略直角方向に向かって延びており、柄本体部２１の上面２１ａに基端部が固定されている。刃部３の図１の下側の縁部には断面鋭角状の刃先３ａが形成されている（図３参照）。
【００１４】
図２は鎌の不使用時の状態を示す側断面図であり、図３は図２のＡ−Ａ矢視図である。図１及び図２に示すように、鎌１は、刃部３の刃先３ａを覆う伸長位置と刃先３ａの大部分を露出させる収縮位置の間で伸縮可能なカバー４と、カバー４を伸長方向に付勢する付勢手段５とをさらに備えている。カバー４は、図３に示すように、プラスチック又は布等によって断面凹状に形成されており、刃部３の左右両側方に配置された一対の側部４１と、各側部４１の下端部に沿って固定された底部４２とを有している。付勢手段５は、例えば圧縮コイルばねからなり、カバー４の各側部４１の内部においてその長手方向に沿って配置されている。
【００１５】
図１及び図３において、各側部４１の伸縮方向一方側の端部４１ａは、刃部３の両側面にそれぞれ固定されており、各側部４１及び底部４２は、収縮位置において蛇腹状に折り畳まれた状態となっている。また、図２に示すように、各側部４１及び底部４２の伸縮方向の他端部（図の左端部）は、伸長位置において刃部３の先端部よりも前側（図の左側）に突出するようになっている。これにより、カバー４を付勢手段５の付勢力によって伸長位置まで伸長させることにより、刃部３の刃先３ａの全体を覆うことができる。
【００１６】
図１において、鎌１は、柄部２の把持圧を検出する圧力検出手段６と、付勢手段５の付勢力に抗してカバー４を収縮位置でロックする一方、圧力検出手段６により検出された把持圧が所定値以下になると前記ロックを解除するロック機構７とをさらに備えている。圧力検出手段６は、例えば圧力センサからなり、柄部２の把持部２２の底部２２ｂに貫通して固定されており、密閉空間Ｓ内の空気圧を検出するようになっている。これにより、圧力検出手段６は、作業者が把持部２２を把持したときに密閉空間Ｓ内の空気圧が圧縮されることで、その圧縮された空気圧を把持圧として検出することができる。圧力検出手段６による検出信号は、後述する制御部７５に出力される。
【００１７】
図１及び図２において、ロック機構７は、ロックピン７１と、弾性部材７２と、磁性部材７３と、電磁石７４と、制御部７５と、リンクアーム７６とによって構成されており、ロックピン７１の一部、弾性部材７２、磁性部材７３、電磁石７４、制御部７５及びリンクアーム７６はすべて柄本体部２１に内蔵されている。ロックピン７１は、その長手方向が柄本体部２１の外周面２１ｂに沿って延びるように柄本体部２１の内部に配置されている。また、ロックピン７１は、その上端部が柄本体部２１の上面２１ａの貫通孔２１ａ１を貫通して収縮位置にあるカバー４に当接可能に配置されている。これにより、ロックピン７１の上端部は、カバー４に当接してカバー４が収縮位置から伸長するのを規制する突出位置（図１参照）と、カバー４が収縮位置から伸長するのを許容する退避位置（図２参照）との間で進退可能に配置されている。弾性部材７２は、例えば引張コイルばねからなり、その両端部はロックピン７１の下端と、柄本体部２１の底面２１ｃとにそれぞれ接続されている。これにより、弾性部材７２は、ロックピン７１を常に退避方向に付勢している。
【００１８】
磁性部材７３は、磁性材料によって棒状に形成されたものであり、その長手方向がロックピン７１の長手方向と平行になるように配置されている。磁性部材７３の両端部は、一対のリンクアーム７６を介してロックピン７１に連結されており、ロックピン７１と連動するようになっている。具体的には、各リンクアーム７６の長手方向中央部は、柄本体部２１の外周面２１ｂに固定された固定軸７７に回転可能に軸支されており、各リンクアーム７６の両端部は、ロックピン７１とリンクアーム７６にそれぞれ軸支されている。これにより、ロックピン７１及び磁性部材７３は、互いに平行な状態を保持しながら互いに逆方向に上下動する。すなわち、磁性部材７３が下方に移動するとリンクアーム７６を介してロックピン７１が上方に移動し、磁性部材７３が上方に移動するとリンクアーム７６を介してロックピン７１が下方に移動する。
【００１９】
電磁石７４は、磁性部材７３の下方において柄本体部２１の底面２１ｃに固定されており、柄部２に内蔵された電池（図示省略）から電磁石７４のコイル（図示省略）に電流を流すことにより磁力が発生するようになっている。この磁力は、弾性部材７２の付勢力よりも大きく設定されている。これにより、図１に示すように、電磁石７４の磁力によって磁性部材７３を下方移動させて電磁石７４に吸着させることで、リンクアーム７６を介してロックピン７１を弾性部材７２の付勢力に抗して突出位置に保持することができる。
【００２０】
制御部７５は、圧力検出手段６の検出信号に基づいて電磁石７４への通電を制御するものである。具体的には、圧力検出手段６により検出された把持圧が所定値を上回っている場合、制御部７５は電磁石７４への通電を許容する。また、圧力検出手段６により検出された把持圧が所定値以下になると、制御部７５は電磁石７４への通電を遮断する。
【００２１】
以上の構成により、作業者が鎌１を使用する際に柄部２の把持部２２を把持すると、圧力検出手段６により検出された把持圧が所定値を上回ることにより、制御部７５は電磁石７４への通電を許容する。この状態でカバー４を付勢手段５の付勢力に抗して収縮位置まで手動で収縮させて電池から電磁石７４に電流を流すことにより、電磁石７４の磁力によって磁性部材７３は下方移動して電磁石７４に吸着される。磁性部材７３が下方移動すると、図１に示すように、ロックピン７１はリンクアーム７６を介して弾性部材７２の付勢力に抗して突出位置まで上方移動する。これにより、カバー４は収縮位置に保持される。したがって、鎌１を使用する際は、柄部２を把持することでロック機構７によりカバー４を収縮位置でロックすることができるため、刃部３の刃先３ａを露出した状態に保持することができる。
【００２２】
また、鎌１の使用中に作業者が柄部２の把持部２２から手を離すと、圧力検出手段６により検出された把持圧が所定値以下となるため、制御部７５は電磁石７４への通電を遮断する。この通電が遮断されると、電磁石７４が磁力を失うことにより電磁石７４による磁性部材７３の吸着保持が解除される。これにより、図２に示すように、ロックピン７１は弾性部材７２の付勢力によって退避位置まで下方移動するとともに、カバー４が付勢手段５の付勢力によって伸長位置まで伸長する。したがって、鎌１の使用中に作業者が誤って柄部２から手を離したときは、ロック機構７によるロックが解除されることにより、カバー４が伸長位置まで自動的に伸長して刃部３の刃先３ａを覆う。これにより、刃部３の刃先３ａが作業者の身体に当たって作業者が傷付くのを効果的に抑制することができる。
【００２３】
また、ロック機構７は、電磁石７４の磁力により磁性部材７３を電磁石７４に吸着させてロックピン７１を突出位置に保持することにより、カバー４が収縮位置から伸長するのを規制することができる。また、ロック機構７は、電磁石７４への通電を遮断して磁性部材７３の吸着を解除するとともにロックピン７１を退避位置に退避させることで、カバー４の伸長を許容することができる。したがって、ロック機構７を簡単な構成とすることにより、カバー４の収縮位置でのロック及びロック解除を行うことができる。
【００２４】
また、ロック機構７は、図２に示すように鎌１の不使用時の状態では電磁石７４への通電を遮断しているため、電力消費を抑制することができる。
また、ロック機構７を構成する構成部材のほとんどを柄本体部２１に内蔵することができるため、ロック機構７を備えることによって鎌１が大型化するのを抑制することができる。
【００２５】
図４は、本発明の他の実施形態に係る鎌の使用状態を示す側断面図である。また、図５は、図４の鎌の不使用時の状態を示す側断面図である。本実施形態と上記実施形態とが相違する点は、ロック機構７の構成が一部異なる点である。図４及び図５において、本実施形態のロック機構７は、ロックピン７１と、弾性部材７２と、電磁石７４と、制御部７５と、リンクアーム７６と、連動部材７８とによって構成されている。ロックピン７１は、磁性材料によって形成されており、図４の突出位置と図５の退避位置との間で進退可能に配置されている。
【００２６】
連動部材７８は、棒状に形成されたものであり、その長手方向がロックピン７１の長手方向と平行になるように配置されている。連動部材７８の両端部は、一対のリンクアーム７６を介してロックピン７１に連結されており、ロックピン７１と連動するようになっている。具体的には、ロックピン７１が上方に移動するとリンクアーム７６を介して連動部材７８が下方に移動し、ロックピン７１が下方に移動するとリンクアーム７６を介して連動部材７８が上方に移動するようになっている。
弾性部材７２は、例えば圧縮コイルばねからなり、その両端部は連動部材７８の下端と、柄本体部２１の底面２１ｃとにそれぞれ接続されている。これにより、弾性部材７２は、連動部材７８を常に下方向に付勢している。
【００２７】
電磁石７４は、ロックピン７１の下方において柄本体部２１の底面２１ｃに固定されており、その磁力は弾性部材７２の付勢力よりも大きく設定されている。これにより、図５に示すように、電磁石７４の磁力によってロックピン７３を下方移動させて電磁石７４に吸着させることで、ロックピン７３を退避位置に保持することができる。その際、連動部材７８は弾性部材７２の付勢力に抗して上方に移動した状態で保持される。
【００２８】
制御部７５は、圧力検出手段６の検出信号に基づいて電磁石７４への通電を制御するものである。具体的には、圧力検出手段６により検出された把持圧が所定値を上回っている場合、制御部７５は電磁石７４への通電を遮断する。また、圧力検出手段６により検出された把持圧が所定値以下になると、制御部７５は電磁石７４への通電を許容する。本実施形態では、電磁石７４への通電が許容されると、柄部に内蔵された電池（図示省略）から電磁石７４に自動的に電流が流れるようになっている。本実施形態の鎌１のその他の構成については、上記実施形態と同様であるため、その説明を省略する。
【００２９】
以上の構成により、作業者が鎌１を使用する際に、カバー４を付勢手段５の付勢力に抗して収縮位置まで手動で収縮させるとともに柄部２の把持部２２を把持すると、圧力検出手段６により検出された把持圧が所定値を上回ることにより、制御部７５は電磁石７４への通電を遮断する。この通電が遮断されると、電磁石７４が磁力を失うことにより電磁石７４によるロックピン７１の吸着保持が解除される。これにより、図４に示すように、連動部材７８が弾性部材７２の付勢力によって下方移動するとともに、リンクアーム７６を介してロックピン７１が突出位置まで上方移動する。これにより、カバー４は収縮位置に保持される。したがって、鎌１を使用する際は、柄部２を把持することでロック機構７によりカバー４を収縮位置でロックすることができるため、刃部３の刃先３ａを露出した状態に保持することができる。
【００３０】
また、鎌１の使用中に作業者が柄部２の把持部２２から手を離すと、圧力検出手段６により検出された把持圧が所定値以下となるため、制御部７５は電磁石７４への通電を許容する。この通電が許容されると、電池から電磁石７４に電流が流れて電磁石７４に磁力が発生することにより、ロックピン７１は弾性部材７２の付勢力に抗して退避位置まで下方移動して電磁石７４に吸着される。これにより、図５に示すように、カバー４が付勢手段５の付勢力によって伸長位置まで伸長する。したがって、鎌１の使用中に作業者が誤って柄部２から手を離したときは、ロック機構７によるロックが解除されることにより、カバー４が伸長位置まで自動的に伸長して刃部３の刃先３ａを覆う。これにより、刃部３の刃先３ａが作業者の身体に当たって作業者が傷付くのを効果的に抑制することができる。
【００３１】
なお、本発明は上記実施形態に限定されるものではない。例えば、上記実施形態におけるカバー４は、刃部３に固定されているが、柄部２に固定されていてもよい。
また、ロック機構７の構成部材（弾性部材７２等）は、柄部２に内蔵されているが、作業者が柄部２を把持することができれば、構成部材の一部又は全てが柄部２の外側に配置されていてもよい。
【符号の説明】
【００３２】
１    鎌
２    柄部
３    刃部
３ａ  刃先
４    カバー
５    付勢手段
６    圧力検出手段
７    ロック機構
２１    柄本体部
２２    把持部
７１    ロックピン
７２    弾性部材
７３    磁性部材
７４    電磁石
７５    制御部
Ｓ    密閉空間
【図１】
2013123396.tif 000003
【図２】
2013123396.tif 000004
【図３】
2013123396.tif 000005
【図４】
2013123396.tif 000006
【図５】
2013123396.tif 000007